(57)【要約】      （修正有）【課題】建物が受ける日射量が大きい場合にヒートポンプの温度制御を改善する。【解決手段】建物へ入射する日射量を測定し、測定された日射量に基づいて、ヒートポンプシステムに含まれるヒートポンプの動作を調整する。【選択図】図３
2020165645.tif 000002
【特許請求の範囲】
【請求項１】
ヒートポンプシステムを動作させる方法であって、
建物へ入射する日射量を測定することと、
前記測定された日射量に基づいて、前記ヒートポンプシステムに含まれるヒートポンプの動作を調整することと、
を備えた、方法。
【請求項２】
前記ヒートポンプの前記動作は、前記日射量が予め設定された閾値よりも大きい場合にのみ調整される、
請求項１に記載の方法。
【請求項３】
前記ヒートポンプの前記動作が、フィードフォワード制御および／またはフィードバック制御を使用して調整され、
前記方法が、
前記測定された日射量を使用して、温度補正量によって前記フィードフォワード制御および／または前記フィードバック制御に入る次の量：前記ヒートポンプの目標流れ温度、流れ温度設定点、および／または、室内気温の気温設定点、のうちの少なくとも１つを調整、好ましくは減少させること、をさらに含む、
請求項１または２に記載の方法。
【請求項４】
前記少なくとも１つのヒートポンプの前記動作の前記調整において、前記温度補正量が、日射熱取得率、ＳＨＧＣ、方法、全日射開口率法、および／または標準評価手順、ＳＡＰ、を使用して、前記測定された日射量から決定される、
請求項３に記載の方法。
【請求項５】
前記ヒートポンプに含まれる圧縮機の動作周波数は、前記ヒートポンプの前記動作を調整するために調整される、
請求項１〜４のいずれか一項に記載の方法。
【請求項６】
前記ヒートポンプの前記動作が、フィードフォワード制御および／またはフィードバック制御を使用して調整され、
前記方法が、
前記測定された日射量φを閾値日射量と比較することと、
前記測定された日射量φが前記閾値日射量以上である場合、
日射開口率αを用いてＱｓｏｌａｒ＝αφとして日射獲得熱量を決定することと、
前記ヒートポンプシステムの熱伝達媒体の質量流量ｍと、
前記ヒートポンプシステムの前記熱伝達媒体の比熱容量Ｃｐとを用いて、
ΔＴ＝Ｑｓｏｌａｒ／（ｍＣｐ）として流れ温度低減を決定することと、
前記ヒートポンプの目標流れ温度Ｔｆｌｏｗ，ｓｕｐｐｌｙをΔＴだけ下げることによって、前記ヒートポンプの前記動作を調整することと、
をさらに含む、
請求項１〜５のいずれか一項に記載の方法。
【請求項７】
前記ヒートポンプの前記動作が、フィードフォワード制御および／またはフィードバック制御を使用して調整され、
前記方法が、
前記測定された日射量φを閾値日射量と比較することと、
前記測定された日射量φが前記閾値日射量以上である場合、
日射開口率αを用いてＱｓｏｌａｒ＝αφとして日射獲得熱量を決定することと、
前記建物の熱容量Ｍを用いてΔＴ＝Ｑｓｏｌａｒ／Ｍとして室温低下量を決定することと、
前記室内温度設定点Ｔｉｎｄｏｏｒ  ｓｐをΔＴだけ下げることによって、前記ヒートポンプの前記動作を調整することと、
をさらに含む、
請求項１〜６のいずれか一項に記載の方法。
【請求項８】
前記日射量は、前記建物の外側に位置するセンサ、好ましくは前記建物の最も高い地点、または、終日太陽を遮るものの無い前記建物のスポットに位置するセンサによって測定される、
請求項１〜７のいずれか一項に記載の方法。
【請求項９】
前記方法の各前記ステップは、少なくとも１時間に１回実行され、好ましくは少なくとも１５分に１回、好ましくは少なくとも１分に１回実行される、
請求項１〜８のいずれか一項に記載の方法。
【請求項１０】
ヒートポンプシステムであって、
少なくとも１つのヒートポンプと、
建物への日射量を測定するために構成された少なくとも１つのセンサと、
日射量を測定するための前記少なくとも１つの日射量センサによって測定された日射量の量に基づいて、前記少なくとも１つのヒートポンプの動作を制御するために構成されたコントローラと、
を備えた、ヒートポンプシステム。
【請求項１１】
前記コントローラは、前記日射量に基づいて前記少なくとも１つのヒートポンプの前記動作として前記少なくとも１つのヒートポンプに含まれる圧縮機の動作周波数を調整するように構成されている、
請求項１０に記載のヒートポンプシステム。
【請求項１２】
前記日射量センサは、シリコン光電池またはサーモパイル型センサである、
請求項１０または１１に記載のヒートポンプシステム。
【請求項１３】
前記ヒートポンプは、請求項１〜９のいずれか一項に記載の方法を実行するように構成されている、
請求項１０〜１２のいずれか一項に記載のヒートポンプシステム。
【請求項１４】
請求項１０〜１３のいずれか一項に記載のヒートポンプシステムを含む、
ＨＶＡＣシステム。
【発明の詳細な説明】
【技術分野】
【０００１】
本開示は、ヒートポンプシステムを動作させる方法、ヒートポンプシステムおよび日射量を測定するＨＶＡＣシステムに関し、ヒートポンプの動作は、日射量に基づいて調整される。
【背景技術】
【０００２】
近年、ヒートポンプシステムは、主に効率が高いという理由で、非常に人気がある。したがって、これらはゼロエネルギー住宅の重要な再生可能ソリューションと見なされている。従来のヒートポンプシステムでは、ヒートポンプは、図１に示すように、通常室内気温の測定に基づいて制御される。設定された室内温度Ｔｓｅｔが制御手順に入力され、フィードフォワード制御１ならびにフィードバック制御２が採用されて、ヒートポンプシステムを流れる熱輸送媒体の目標流れ温度を達成する。周囲温度Ｔａｍｂがフィードフォワード制御に入力される。次いで、目標流れ温度は通常リミッタ３に入力され、結果として得られるパワー制限された目標流れ温度で熱輸送媒体がエミッタ４に流入され、エミッタ４から建物５に放熱された結果、室温Ｔｒｏｏｍをもたらす。
【０００３】
加熱制御は、フィードフォワード制御（ＦＦ制御）１ならびにフィードバック制御（ＦＢ制御）２の２つの部分を備える。これらは、一般にヒートポンプシステムに実装されている。好ましくは、フィードフォワード制御は、設定された室温Ｔｓｅｔおよび周囲温度Ｔａｍｂを使用して目標流れ温度Ｔｗａｔｅｒを計算する。フィードバック制御は、目標室温Ｔｓｅｔと測定された室温との間の偏差を使用して、目標流れ温度Ｔｗａｔｅｒの調整値を計算する。
【０００４】
通常、室温は、例えば無線リモートコントローラによって測定され、無線リモートコントローラの場所は実際のアプリケーションによって異なる。このことは、例えば窓の割り当て（fenestration）に深く関係する日射フラックスによって引き起こされる室内温度の不均一性による遅延の観点から、室温測定の不確実性（精度の低さ）につながる。さらに、従来の暖房システムは、フィードバック制御の限界および家の日射獲得熱量の性質に起因して、部屋を過熱する傾向がある。
【発明の概要】
【発明が解決しようとする課題】
【０００５】
したがって、建物が受ける日射量が大きい場合にヒートポンプの温度制御を改善することが本開示によって解決される問題である。
【課題を解決するための手段】
【０００６】
この問題は、請求項１に記載のヒートポンプシステム、請求項１０に記載のヒートポンプシステム、および請求項１４に記載の暖房、換気および空調のＨＶＡＣを動作させる方法によって解決される。
【０００７】
本開示は、ヒートポンプシステムを動作させる方法に関する。本開示による方法は、原則として、あらゆる種類のヒートポンプシステムに適用することができる。そのようなヒートポンプシステムは、例えば、熱輸送媒体を導くヒートポンプならびに熱輸送媒体回路を備える。熱輸送媒体は、ヒートポンプによって加熱または冷却することができる。ヒートポンプは、例えば、凝縮器、膨張弁、蒸発器および圧縮機が冷媒導管によって互いに直列に接続されている冷媒回路を含むことができる。ヒートポンプの構成は、本開示にとって必須ではないことが強調されるべきである。本開示は、部屋を暖房または冷房するためのあらゆる手段に適用することができる。ここで、「ヒートポンプ」という用語は、室内を暖房する装置ならびに室内を冷房する装置を表す。「エアコン」という用語も使用できる。
【０００８】
本開示によるヒートポンプシステムを動作させる方法は、建物に入射する日射量を測定することを含む。日射量は、好適なセンサで測定することができる。太陽光は均一な分布で地球に入射するため、日射量の局所的な測定で通常十分である。日射量によって建物に持ち込まれる総エネルギーは、この局所的な測定値と建物の有効なモデルとに基づいて決定することができる。日射量に言及する場合、例えば日射フラックスや日射エネルギー密度などの代替用語を使用することができる。
【０００９】
次いで、本開示の方法は、測定された日射量に基づいて、ヒートポンプシステムに含まれるヒートポンプの動作を調整する。好ましくは、ヒートポンプの動作は、日射量が所定の閾値よりも大きい場合にのみ調整される。
【００１０】
本開示の好ましい実施形態において、フィードフォワード制御および／またはフィードバック制御を使用してヒートポンプの動作を調整することができる。この場合、温度補正量ΔＴが、測定された日射量に基づいて計算されて、フィードフォワード制御および／またはフィードバック制御に入力される量（quantities）を調整することができる。
【００１１】
好ましくは温度補正ΔＴによって調整することができる１つの量は、ヒートポンプの目標流れ温度である。これは、例えば、ヒートポンプによって加熱される熱伝達媒体の指定温度である。フィードフォワード制御および／またはフィードバック制御は、目標流れ温度を達成することを目的とする。このため、この値が変更されると、ヒートポンプの動作も変更される。建物が日射によるエネルギーを吸収するとき、日射量の増加は結果として目標流れ温度の低減をもたらす。
【００１２】
ヒートポンプの動作を調整するために有利に使用することができるさらなる量は、室内気温の気温設定点である。これは部屋の中で望ましい温度である。それは、例えばサーモスタットで設定される。日射が部屋にエネルギーを導入する場合、ヒートポンプによって提供される熱は少なくなる。フィードフォワード制御および／またはフィードバック制御を使用してヒートポンプを制御する場合、これは温度補正ΔＴによって実際に設定された温度を下げることによって達成することができる。このため、ユーザは特定の温度Ｔｉｎｄｏｏｒ  ｓｐを設定するが、調整された値Ｔｉｎｄｏｏｒ  ｓｐ−ΔＴがフィードフォワードおよびフィードバック制御に入力される。
【００１３】
本開示の有利な実施形態では、ヒートポンプの動作は、ヒートポンプ内に含まれる圧縮機の動作周波数を調整することにより調整することができる。動作周波数が高いほど、ヒートポンプによって提供される熱量が高くなる。したがって、日射量が増加すると、通常、圧縮機の動作周波数が低下する。
【００１４】
本開示の有利な実施形態では、ヒートポンプの動作は、フィードフォワード制御および／またはフィードバック制御を使用して調整することができ、測定された日射量ΔＴを所定の閾値日射量と比較するステップをさらに含むことができる。このステップにより、日射量が十分に多い場合にのみ調整が行われることを確実にすることができる。
【００１５】
日射量閾値φｔｈｒｅｓｈｏｌｄは、例えば、窓の割り当て（すなわち、窓の数とそれらのサイズ）などの建物の特性および熱量（例えば、標準評価手順ＳＡＰ２０１２などの規格を使用して推定することができる）に応じて設定することができる。
【００１６】
この場合、測定された日射量φが閾値日射量以上である場合、日射獲得熱量Ｑｓｏｌａｒは、Ｑｓｏｌａｒ＝αφとして決定することができ、式中、αは日射開口率であり、これは、例えばＴＡＩＴｈｅｒｍシミュレーション結果から導出することができる。次いで、好ましくは、ΔＴ＝Ｑｓｏｌａｒ／（ｍＣｐ）として流れ温度低減ΔＴを決定することが可能である。ここで、ｍはヒートポンプシステムの熱伝達流体の質量流量であり、Ｃｐはヒートポンプシステムの熱伝達媒体の比熱容量である。ヒートポンプの動作は、ヒートポンプの目標流れ温度Ｔｆｌｏｗ，ｓｕｐｐｌｙをΔＴだけ下げることによって調整することができる。
【００１７】
本開示のさらに好ましい実施形態において、フィードフォワード制御および／またはフィードバック制御を使用してヒートポンプの動作を調整することができる。この実施形態では、当該方法は、測定された日射量φを閾値日射量と比較することをさらに含むことができる。測定された日射量φが閾値日射量以上である場合、日射獲得熱量Ｑｓｏｌａｒは、Ｑｓｏｌａｒ＝αφとして決定することができ、式中、αは再び日射開口率である。次いで、好ましくは、ΔＴ＝Ｑｓｏｌａｒ／Ｍとして気温低減を決定することが可能であり、式中Ｍは建物の熱容量である。ヒートポンプの動作は、その後、室内温度設定点Ｔｉｎｄｏｏｒ  ｓｐをΔＴだけ下げ、フィードフォワード制御および／またはフィードバック制御において低減した室内温度設定点を使用することによって調整することができる。
【００１８】
建物の外側上に位置し、好ましくは建物の最も高い地点、または終日太陽が遮られない建物のスポットに位置する日射量センサによって日射量を測定することが好ましい。
【００１９】
日射センサは、最大量の日射を受け取るために、太陽光を受けるための遮るもののない視野を有することが好ましい。したがって、日射センサは、他の建物、樹木、または他の物体によって陰になっている場所に設置されるべきではない。建物の頂部（トップ）の上または建物の近くの別の取り付け台の上に、センサを設置することが特に好ましい。センサを外部の壁または外部の窓に設置する必要がある場合、これが最大量の太陽光を受け取る壁または窓であることが好ましい。北半球では、これは、例えば、南向きの壁または窓になる。
【００２０】
本開示の方法は、繰り返し実行され、特に好ましくは少なくとも１時間に１回、好ましくは少なくとも１５分に１回、特に好ましくは少なくとも１分に１回実行されることが好ましい。
【００２１】
本開示はさらに、少なくとも１つのヒートポンプならびに建物への日射量を測定するように構成された少なくとも１つのセンサを備えるヒートポンプシステムに関する。ヒートポンプは、例えば上記のように構成することができる。
【００２２】
本開示によるヒートポンプシステムは、少なくとも１つの日射量センサによって測定された日射量の量に基づいて少なくとも１つのヒートポンプの動作を制御するように構成されたコントローラをさらに備える。
【００２３】
コントローラが、少なくとも１つのヒートポンプに含まれる圧縮機の動作周波数を調整するように構成されているならば、特に好ましい。圧縮機の動作周波数の制御は、日射量に基づき少なくとも１つのヒートポンプの動作を変更するために行われる。
【００２４】
日射量センサは、例えば、シリコン光電池またはサーモパイル型センサであり得る。シリコン光電池は、サーモパイル型センサよりも安価であり、したがって、本開示には好ましい。
【００２５】
ヒートポンプが上記の方法を実行するように構成されているならば、特に好ましい。
【００２６】
本開示はまた、上記のヒートポンプシステムを含むＨＶＡＣシステムに関する。
【００２７】
以下において、本開示は、図を参照して、いくつかの例として説明される。それらの例の文脈で説明されている特徴は、特定の１つの例から独立して実現することもできる。
【図面の簡単な説明】
【００２８】
【図１】先行技術の自動テューニングフィードフォワード制御およびフィードバック制御の機能図を示す。
【図２】本開示の効果を示す。
【図３】目標流れ温度が調整されるヒートポンプ動作方法の制御図を示す。
【図４】図３の流れ温度設定点調整の制御アルゴリズムを示す。
【図５】室内温度設定点が調整されるヒートポンプ動作の制御図を示す。
【図６】図５の室内温度設定点調整の制御アルゴリズムを示す。
【発明を実施するための形態】
【００２９】
日射獲得熱量の計算は、直接および間接の日射量の推定値に加えて、窓サイズ、方向、シェーディング、および材料特性に関する詳細を伴うプロセスである。日射獲得熱量は、式（１）〜（６）によって表すことができる［ＡＳＨＲＡＥ  Ｒｅｓｅａｒｃｈ，ＡＳＨＲＡＥ  Ｈａｎｄｂｏｏｋ−Ｆｕｎｄａｍｅｎｔａｌｓ、アトランタ：ＡＳＨＲＡＥ  ２０１７］。
【００３０】
【数１】
2020165645.tif 000003
【００３１】
一般的には全天日射量が計測され、種々のデータソースとして記録されている場合があるが、全天日射量を直達成分と散乱成分に分離する必要がある。
【００３２】
【数２】
2020165645.tif 000004
【００３３】
有効な一実施形態では、建物に導入される日射獲得熱量は、日射熱取得率、ＳＨＧＣ（solar Heat gain coefficient）の方法を使用して、測定された日射量から決定することができる。
【００３４】
窓の製造業者によって実際に提供されるデータには、通常、次のものが含まれる。
・  レイヤの数−シングルペイン、ダブルペイン、トリプルペイン
・  ガラスのタイプの銘柄−着色、低Ｅコーティングの有無
・  Ｕファクタ（ＮＦＲＣ２００４ｂ）
・  法線入射角での日射熱取得率（ＳＨＧＣ）
・  視覚透過率
【００３５】
好ましくは、建物外皮の熱負荷が、透過及び吸収された日射獲得熱量とは別に計算される。ガラスの熱容量は通常非常に小さいため、窓面での伝熱は定常状態に達している。従って、建物外皮の熱負荷は次のように計算され得る。
【００３６】
【数３】
2020165645.tif 000005
【００３７】
透過および吸収された日射獲得熱量は、次のように有利に計算される。
１．入射角、表面方位角、入射直接照射および窓上の拡散照射を計算し、
２．外部シェーディングが存在する場合、太陽に照らされたエリアとシェーディングされたエリアとを決定し、
３．シェーディングのない窓に対して、直達成分及び散乱成分ならびに合計日射獲得熱量が与えられる。
【００３８】
【数４】
2020165645.tif 000006
【００３９】
式中、
ＳＨＧＣ（θ）は、表１のように補間された角度依存のＳＨＧＣである。
【００４０】
【表１】
2020165645.tif 000007
【００４１】
日射獲得熱量を計算するための別の有利な方法は、例えば、全日射開口率法である。
【００４２】
この方法は、例えば、共加熱法（co-heating method）によって実施され、建物の熱負荷パラメータおよび、日射量測定値の回帰分析によって日射開口率（Ａｓｏｌ（ｍ２））を求めることを含む。Ａｓｏｌという用語は、P.Baker著、「A retrofit of a Victorian terrace house in New Bolsover:a whole house thermal performance assessment」、Historic England & Glasgow Caledonian University、2015年によって明確に定義されており、これは、「外側表面に入射する日射によって引き起こされ、建物の平面に入射する日射の強度で割った、定常状態条件下での建物の外皮を通して内部環境に伝達される熱流量であり、それは、建物外皮のうち、この部分のみ日射によるエネルギーを取り入れることができる部分である」とみなす、日射開口率を意味する。
【００４３】
建物の構造にわたって全熱流量を直接測定することはできないので、共加熱法（co-heating method）では、単純化されたエネルギーバランス式を使用して、屋内に人の居ない条件下において、式（１４）に示すように、熱損失を推定する。
【００４４】
【数５】
2020165645.tif 000008
【００４５】
Ｑａｃｔｉｖｅは、電気またはヒートポンプのいずれかによって供給される熱である。
【００４６】
ＨＬＣは、熱損失係数、Ｗ／Ｋである。
【００４７】
測定されたパラメータおよびＨＬＣに基づいて、Ａｓｏｌは長期間のテストで取得することができる。
【００４８】
Ａｓｏｌの値は、住居のガラス窓だけでなく、熱容量の影響も含まれる。
【００４９】
日射獲得熱量を決定するためのさらに有利な方法は、標準評価手順、ＳＡＰ（standard assessment procedure）である。
【００５０】
BRE、The Government’s Standard Assessment Procedure for Energy Rating of Dwellings (SAP 2012)、Garston: BRE、2017年で説明されているように、日射獲得熱量は、付録Ｕ（Appendix U）のＵ３からの日射フラックスと、該当する方向に変換する関連式とを使用して、計算される。
【００５１】
【数６】
2020165645.tif 000009
【００５２】
式中、
Ｇｓｏｌａｒは、平均日射獲得熱量Ｗであり、
０．９は、通常の平均透過率と法線入射時の透過率との比を表すファクタであり、
Ａｗは、開口部（窓またはガラス戸）の面積ｍ２であり、
Ｓは、適用可能な表面の日射フラックスＷ／ｍ２であり、
ｇ⊥は、法線入射でのガラス窓の全日射エネルギー透過ファクタであり、
ＦＦは、窓およびドア（ガラス張りの開口の部分）のフレームファクタであり、
Ｚは、日射アクセスファクタである。
【００５３】
これらのファクタは、表２、３および４で推定することができる。
【００５４】
【表２】
2020165645.tif 000010
【００５５】
【表３】
2020165645.tif 000011
【００５６】
【表４】
2020165645.tif 000012
【００５７】
図２は、本開示の効果を示す。図２（ａ）は、先行技術のヒートポンプ制御について、上図に一日中の気温と日射量とを示し、下図に一日中の圧縮機周波数とヒートポンプ消費電力とを示す。図２（ｂ）は、本開示によって制御されるヒートポンプシステムについて、上図に一日中の気温と日射量とを示し、下図に一日中の圧縮機周波数とヒートポンプ消費電力とを示す。
【００５８】
図２（ａ）および図２（ｂ）の上図では、実線は日射量を示し、短い破線は周囲温度を示し、長い破線は設定点の室内温度を示す。図２（ａ）および図２（ｂ）の下図では、太い実線はヒートポンプ消費電力を示し、細い実線は圧縮機の周波数を示す。
【００５９】
日射量は日の出とともに増加し始め、正午に最大に達し、日没時にゼロに達する。
【００６０】
先行技術のように、測定された室内温度に基づいてヒートポンプが制御されるため、図２（ａ）の圧縮機周波数は、室内温度が上昇し始める時間ｔ０で低下する。室内温度が特定の値に達すると、時間ｔ１で圧縮機が完全にシャットダウンする。ヒートポンプ消費電力は、図２（ａ）の下図の圧縮機の周波数に従う。
【００６１】
本開示の効果を示す図２（ｂ）では、測定された日射量に基づいてヒートポンプの動作が制御される。時間ｔ０’で日射量が閾値日射量を超えて増加すると、圧縮機の周波数ｆが低下し、同時にヒートポンプ消費電力が低下する。時間ｔ１’で日射量がさらに閾値を超えて増加すると、圧縮機周波数ｆはゼロに設定され、それに応じてヒートポンプ消費電力はゼロになる。図２（ｂ）の上図では、実線で表されている室内温度が、図２（ａ）の上図に示されている従来の制御よりも、長い破線で示されている設定点温度に近づいていることがわかり得る。さらに、圧縮機の周波数は、従来の制御方法における時間ｔ０およびｔ１よりも早い時間ｔ０’およびｔ１’で減少することがわかり得る。したがって、ヒートポンプ動作のエネルギーは、図２（ｂ）の下図のハッシュ領域によって示されるように節約される。
【００６２】
図３は、本開示によるヒートポンプシステムを動作させる方法の制御図を示す。本方法は、フィードフォワード制御１ならびにフィードバック制御２を使用する。左側では、設定された室温が、最初に任意選択（optional）のローパスフィルタ６に入力され、次にフィードフォワード制御１に入力され、そこで、測定された周囲温度と当該室温とから、目標流れ温度が計算される。ローパスフィルタ６の出力は、フィードバック制御エレメント２にさらに入力され、フィードバック制御エレメント２も、目標流れ温度を生成する。フィードフォワード制御１およびフィードバック制御２によって生成されるそれらの目標流れ温度は、結合されて、結果としての目標流れ温度になる。この実施形態では、当該結果としての目標流れ温度は、適切な日射量センサによって測定された日射量に基づいて、ステップ８で調整される。ステップ８は、調整された目標流れ温度を出力する。この調整された目標流れ温度は、パワーセーブ制御３、室外ユニット４、および家５を通り、結果として、室温をもたらす。室温は、ローパスフィルタ７を介してフィードバック制御の入力にフィードバックされ、それによりローパスフィルタ６によって出力される設定室温とローパスフィルタ７によって出力されるフィードバックされた室温との間の差がフィードバック制御２に入力される。
【００６３】
パワーセーブ制御３は、動作をスムーズにし、それにより圧縮機周波数の突然の変化による電力消費を節約するため、圧縮機周波数の変動を低減するための機能である。室外ユニット４は、メイン冷凍サイクルを備えたヒートポンプ室外ユニットのブロックであり、室外環境で動作して、空気や地面などの周囲から低品位エネルギーを吸収する。家５は、特定の温度を維持するためにヒートポンプから供給される熱を必要とする建物を表すブロックである。
【００６４】
図４は、図３の制御図で実行されるアルゴリズムのフロー図を示す。第１のステップＳ１では、ヒートポンプにより加熱された部屋の室内温度が測定される。さらに、ステップＳ２において、周囲温度が測定され、これは例えば室外温度である。図４において、ステップＳ１およびＳ２が特定の順序で示されているが、それらは異なる順序で実行でき、また、同時に実行することもできることに留意されたい。
【００６５】
ステップＳ３において、初期温度Ｔｆｌｏｗ，ｓｕｐｐｌｙが計算される。この初期温度Ｔｆｌｏｗ，ｓｕｐｐｌｙは、図３で目標流れ温度として示されている前のブロックの入力値から提供される。この値は、最初に図３のフィードフォワード制御ブロック１およびフィードバック制御ブロック２から計算される。
【００６６】
ステップＳ４において、例えば、センサによって、または他のウェブベースのデータによって、日射フラックスφが取得される。日射フラックスの大きさは、例えばＷ／ｍ２である。図４では、ステップＳ３の後にステップＳ４が示されていることに留意されたい。しかしながら、日射フラックスφは、ステップＳ１、Ｓ２、およびＳ３のシーケンスのうちの任意の他の点で取得することもできる。
【００６７】
続くステップＳ５、Ｓ６、Ｓ７、Ｓ８およびＳ９は、図３のブロック８で実行される。
【００６８】
ステップＳ５において、取得された日射フラックスφが閾値日射、例えば、φｔｈｒｅｓｈｏｌｄ＝５０Ｗ／ｍ２より大きいかどうかが判定される。そうでない場合、目標流れ温度Ｔｆｌｏｗ，ｓｕｐｐｌｙは、変更されない。一方で、測定された日射フラックスφが閾値フラックスφｔｈｒｅｓｈｏｌｄより大きい場合、ステップＳ６が実行され、そこで日射獲得熱量Ｑｓｏｌａｒが、Ｑｓｏｌａｒ＝αφとして推定される。この例では、建物に吸収される日射獲得熱量Ｑｓｏｌａｒ  ［Ｗ］が推定される。ここで、日射開口率α［ｍ２］および係数は、例えば、特定の期間の共加熱テストまたは連続加熱テストにおける回帰法によって導出することができる。
【００６９】
次いで、推定された日射獲得熱量ＱｓｏｌａｒがステップＳ７で使用され、ΔＴ＝Ｑｓｏｌａｒ／（ｍＣｐ）として流れ温度低減ΔＴを推定する。ステップＳ８でこの値を使用して、目標流れ温度Ｔｆｌｏｗ，ｓｕｐｐｌｙは、流れ温度低減ΔＴを差し引くことによって調整される、つまり、Ｔｆｌｏｗ，ｓｕｐｐｌｙ：＝Ｔｆｌｏｗ，ｓｕｐｐｌｙ−ΔＴである。ステップＳ９において、目標流れ温度が次いで更新され、ヒートポンプの制御に使用することができる。
【００７０】
ステップＳ７において、温度調整値は、流体の質量流量ｍ［ｋｇ／秒］で除算された日射獲得熱量Ｑｓｏｌａｒと、グリコール水などの流体の比熱容量Ｃｐ［Ｊ／（ｋｇ−Ｋ）］とに基づいて計算される。
【００７１】
ステップＳ８において、ヒートポンプによって建物に供給される新しい流れ温度がΔＴだけ低減される。
【００７２】
図５は、本開示のさらなる実施形態による、ヒートポンプを動作させる方法の制御図を示す。図５は図３に対応するが、図３での目標流れ温度が調整されるブロック８はないが、代わりに取得した日射量に基づいて室内温度設定点が調整される追加のブロック９を有する。ブロック１〜７に関しては、図３を参照されたい。
【００７３】
設定温度が制御に入力され、次いでこの設定温度は、ローパスフィルタ６に入力される前にブロック９において調整される。
【００７４】
ブロック９において実行されるアルゴリズムを図６に示す。再び、ステップＳ１、Ｓ２、およびＳ４において、ヒートポンプによって加熱される部屋内の室内温度が測定され、周囲温度、例えば室外温度、が測定され、日射フラックスφが取得される。ステップＳ１、Ｓ２、Ｓ４は、任意の順序で実行することができ、また同時に実行することもできる。重ねて、日射量φ［Ｗ／ｍ２］は、例えば、設置されたセンサによってまたはウェブベースのデータによって取得することができる。
【００７５】
ステップＳ５において、次に、日射量が十分に著しいかどうかを判断するために、取得された日射フラックスφが、閾値φｔｈｒｅｓｈｏｌｄ、例えばφｔｈｒｅｓｈｏｌｄ＝５０Ｗ／ｍ２と比較される。
【００７６】
もしそうである場合、ステップ６において日射獲得熱量Ｑｓｏｌａｒが、Ｑｓｏｌａｒ＝αφとして推定される。この実施形態では、また他の実施形態もそうであるように、αは、例えばＴＡＩＴｈｅｒｍシミュレーション結果から導出することができる。
【００７７】
推定された日射獲得熱量Ｑｓｏｌａｒは、次にステップＳ１０において使用されて、室内温度低減ΔＴをΔＴ＝Ｑｓｏｌａｒ／Ｍとして推定し、ここで、Ｍ［Ｗ／Ｋ］は、例えばＳＡＰまたは他の標準による建物の熱容量である。
【００７８】
この温度低減ΔＴを使用して、室内温度設定点Ｔｉｎｄｏｏｒ，ｓｐは、次いで、Ｔｉｎｄｏｏｒ，ｓｐ：＝Ｔｉｎｄｏｏｒ，ｓｐ−ΔＴとして減らされる。ブロック６から開始して、図５に示すように、ヒートポンプのさらなる制御に使用されるように、次に補正値がステップＳ９で更新される。
【００７９】
ヒートポンプが室内空間を加熱する場合、ならびにヒートポンプまたはエアコンが室内空間を冷却する場合、日射により室内空間に追加の熱が追加されるため、これらの温度の調整は、通常、これらの温度を低減したものになる。
【００８０】
先行技術のコントローラにおいては、室内温度のみを測定するために、先行技術によるヒートポンプコントローラが、かなりの量の日射獲得熱量があることを認識するのに長い時間がかかるのに対し、本開示による日射獲得熱量の利用はエネルギーの節約を可能にする。日射獲得熱量は、居住空間に到達するときに、熱容量に主に保存される。
【００８１】
本開示は、過熱を回避することができる。過熱は、通常、フィードバック制御の限界および家に対する日射獲得熱量の性質のために、従来の暖房システムで問題となる。本開示は、過熱を最小限に抑えることができる。
【００８２】
本開示で使用されるようなヒートポンプは、例えば、空気−水（Ａ２Ｗ）ヒートポンプまたは地中熱源ヒートポンプ（ＧＳＨＰ（ground source heat pump））あるいは冷媒回路を組み込んだ任意のヒートポンプであることができる。
【図１】
2020165645.tif 000013
【図２】
2020165645.tif 000014
【図３】
2020165645.tif 000015
【図４】
2020165645.tif 000016
【図５】
2020165645.tif 000017
【図６】
2020165645.tif 000018
【外国語明細書】
2020165645000001.pdf